(57)【要約】【課題】  室内が所定の範囲の湿度となるよう制御するミスト発生装置を提供する。【解決手段】  通常運転モード時のミスト運転中に加湿レベル及び風量レベルについてオートモードが選択されたら、送風温度センサ２４で検知される温度から吸気温度センサ２５で検知される温度を引いた値が所定値となるよう、前記加熱ヒータのＯＮ／ＯＦＦ状態を切り替え、ミストモータ１１及び送風モータ１４の回転数を調節するので、貯水室８で発生するナノミストと負イオンを含んだ加湿空気量を増減させ、送風モータ１４の回転数を変化させることで、器具本体１から室内に供給される加湿空気量を増減させることができるため、室内の湿度を所定の範囲にして乾燥や過加湿状態を防止することができる。【選択図】  図９
2014202371.tif 000002
【特許請求の範囲】
【請求項１】
器具本体と、該器具本体内にあり水を貯水する貯水室と、前記貯水室内の水を加熱する加熱ヒータと、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、該送風モータによって前記器具本体内に吸い込まれる空気の温度を検知する吸気温度センサと、前記送風ファンによって前記器具本体から送風される空気の温度を検知する送風温度センサと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記送風温度センサで検知される温度から前記吸気温度センサで検知される温度を引いた値が所定値となるよう前記加熱ヒータのＯＮ／ＯＦＦ状態を切り替え、前記湿度センサで検知される湿度が所定の範囲内となるよう前記所定値を変化させることを特徴とするミスト発生装置。
【請求項２】
器具本体と、該器具本体内にあり水を貯水する貯水室と、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記ミストモータ又は前記ミストモータ及び前記送風モータの回転数を調節して、前記ミスト運転中に前記湿度センサで検知される湿度を所定の範囲内にすることを特徴とするミスト発生装置。
【請求項３】
器具本体と、該器具本体内にあり水を貯水する貯水室と、前記貯水室内の水を加熱する加熱ヒータと、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、該送風モータによって前記器具本体内に吸い込まれる空気の温度を検知する吸気温度センサと、前記送風ファンによって前記器具本体から送風される空気の温度を検知する送風温度センサと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記送風温度センサで検知される温度から前記吸気温度センサで検知される温度を引いた値が所定値となるよう前記加熱ヒータのＯＮ／ＯＦＦ状態を切り替え、前記ミストモータ又は前記ミストモータ及び前記送風モータの回転数を調節して、前記ミスト運転中に前記湿度センサで検知される湿度が所定の範囲内となるよう前記所定値を変化させることを特徴とするミスト発生装置。
【請求項４】
前記制御部は、前記所定値を±５℃の範囲内の値としたことを特徴とする請求項１又は３記載のミスト発生装置。
【発明の詳細な説明】
【技術分野】
【０００１】
この発明は、ナノミストと負イオンを発生させて室内に供給するミスト発生装置に関するものである。
【背景技術】
【０００２】
従来、この種のものにおいて、器具本体内に回転体と送風ファンとを同一軸上で軸支するミストモータを備え、ミストモータを駆動させることで回転体が回転駆動し貯水室内の水を汲み上げて飛散させ、衝突体に衝突させて発生したナノミストと負イオンを含んだ加湿空気を送風ファンによって室内に送風するミスト発生装置があった。
【先行技術文献】
【特許文献】
【０００３】
【特許文献１】特開２０１３−２６９９号公報
【発明の概要】
【発明が解決しようとする課題】
【０００４】
しかし、この従来のものでは、ミスト発生装置が設置された室内の湿度について、所定の範囲内とするよう制御することに関してなんの示唆も開示もされておらず、室内の湿度が低いことで空気が乾燥することや、湿度が高い過加湿状態になることで室内の随所に飽和した水滴が溜まる虞がある等、室内の湿度を調節することができない問題があった。
【課題を解決するための手段】
【０００５】
上記課題を解決するために、本発明の請求項１では、器具本体と、該器具本体内にあり水を貯水する貯水室と、前記貯水室内の水を加熱する加熱ヒータと、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、該送風モータによって前記器具本体内に吸い込まれる空気の温度を検知する吸気温度センサと、前記送風ファンによって前記器具本体から送風される空気の温度を検知する送風温度センサと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記送風温度センサで検知される温度から前記吸気温度センサで検知される温度を引いた値が所定値となるよう前記加熱ヒータのＯＮ／ＯＦＦ状態を切り替えて、前記湿度センサで検知される湿度が所定の範囲内となるよう前記所定値を変化させるものである。
【０００６】
また、請求項２では、器具本体と、該器具本体内にあり水を貯水する貯水室と、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記ミストモータ又は前記ミストモータ及び前記送風モータの回転数を調節して、前記ミスト運転中に前記湿度センサで検知される湿度を所定の範囲内にするものである。
【０００７】
また、請求項３では、器具本体と、該器具本体内にあり水を貯水する貯水室と、前記貯水室内の水を加熱する加熱ヒータと、前記器具本体が設置された室内の湿度を検知する湿度センサと、前記貯水室内の水に下端を水没させ、回転により水を汲み上げて飛散させる筒状の回転体と、該回転体を回転駆動させるミストモータと、前記回転体の回転により飛散された水が衝突する衝突体と、該衝突体で水が破砕されることで発生するナノミストと負イオンを含んだ加湿空気を室内に供給する送風モータと、該送風モータによって前記器具本体内に吸い込まれる空気の温度を検知する吸気温度センサと、前記送風ファンによって前記器具本体から送風される空気の温度を検知する送風温度センサと、前記ミストモータと前記送風モータとを駆動させ、前記回転体を回転駆動させることで発生したナノミストと負イオンを含んだ加湿空気を送風口から室内に供給するミスト運転を制御する制御部とを備えたミスト発生装置において、前記制御部は、前記送風温度センサで検知される温度から前記吸気温度センサで検知される温度を引いた値が所定値となるよう前記加熱ヒータのＯＮ／ＯＦＦ状態を切り替えて、前記ミストモータ又は前記ミストモータ及び前記送風モータの回転数を調節して、前記ミスト運転中に前記湿度センサで検知される湿度が所定の範囲内となるよう前記所定値を変化させるものである。
【０００８】
また、請求項４では、前記所定値を±５℃の範囲内の値としたものである。
【発明の効果】
【０００９】
この発明の請求項１によれば、送風温度センサで検知される温度から吸気温度センサで検知される温度を引いた値が所定値となるよう加熱ヒータのＯＮ／ＯＦＦ状態を切り替えて、湿度センサで検知される湿度が所定の範囲内となるよう所定値を変化させるので、送風口から送風される加湿空気の温度を変化させて、器具本体内に吸い込む空気中に含有可能な水分量の割合を増減させ、室内に送風される加湿空気の湿度を変化させることができるため、室内の湿度を所定の範囲内にして室内の乾燥や過加湿状態が防止可能となる。
【００１０】
また、請求項２によれば、ミストモータ又はミストモータ及び送風モータの回転数を調節して、ミスト運転中に湿度センサで検知される湿度を所定の範囲内にするので、ミストモータの回転数を変化させることで、貯水室で発生するナノミストと負イオンを含む加湿空気量を増減させ、また、送風モータの回転数を変化させることで、器具本体から室内に供給される加湿空気量を増減させることができるため、室内の湿度を所定の範囲にして乾燥や過加湿状態を防止することが可能となる。
【００１１】
また、請求項３によれば、送風温度センサで検知される温度から吸気温度センサで検知される温度を引いた値が所定値となるよう加熱ヒータのＯＮ／ＯＦＦ状態を切り替えて、ミストモータ又はミストモータ及び送風モータの回転数を調節して、ミスト運転中に湿度センサで検知される湿度が所定の範囲内となるよう所定値を変化させるので、送風口から送風される加湿空気の温度を変化させることで加湿空気に含有可能な水分量の割合を増減させ、室内に送風される加湿空気の湿度を変化させて、ミストモータの回転数を変化させることで貯水室で発生するナノミストと負イオンを含む加湿空気量が増減し、送風モータの回転数を変化させることで器具本体から室内に供給される加湿空気量を増減させることができるため、早期に室内の湿度を所定の範囲にして乾燥や過加湿状態を防止することが可能となる。
【００１２】
また、請求項４によれば、所定値を±５℃の範囲内の値としたので、室内に送風される加湿空気によって室温が大きく変動することがなく、器具本体が設置された室内にいる使用者に不快感を与えることがない。
【図面の簡単な説明】
【００１３】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の加湿レベルと風量レベルの制御内容を説明する図
【図６】同実施形態の運転開始から終了までの動作を説明するフローチャート
【図７】同実施形態の加湿レベルに応じた通常運転モードを説明するフローチャート
【図８】同実施形態の風量レベルに応じた通常運転モードを説明するフローチャート
【図９】同実施形態の加湿レベル及び風量レベルに応じた通常運転モードを説明するフローチャート
【発明を実施するための形態】
【００１４】
次に、この発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【００１５】
８は上面パネル４内に設置され所定量の水を貯水する貯水室であり、この貯水室８内には、水に下端を水没させ駆動軸９に軸支された筒状の回転体１０が備えられている。
【００１６】
前記回転体１０は、中空逆円錐形で上方に向かって径が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から周囲に飛散させる。
【００１７】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されており、回転体１０の回転による遠心力で貯水室８内の水を汲み上げると共に空気を飛散させ、多孔部１３を通過した水滴が破砕されることで、水の粒子を微細化してナノメートル（ｎｍ）サイズのミストが生成すると共に、水の粒子の微細化によるレナード効果で負イオンを発生させるものである。
【００１８】
１４は下面パネル５内に設置され所定の回転数で駆動することで室内空気を吸引して器具本体１の上部に吹き出す送風モータ、１５は貯水室８と送風口２との間に設置され、貯水室８内で発生したナノミストと負イオンを含む加湿空気を送風口２まで流通させる送風通路であり、前記送風モータ１４が所定の回転数で駆動すると、器具本体１下部にある図示しない吸い込み口から吸い込んだ室内空気を器具本体１の上部に向けて送風され、貯水室８に設置された回転体１０の上部にある図示しない空気流入口から送風モータ１４によって送風された室内空気が流入し、貯水室８内で流入した室内空気をナノミストと負イオンとを含ませた加湿空気が前記送風通路１５を上部に向けて流動して、送風口２から室内へ送風されることで加湿空気を室内に供給することができる。
【００１９】
１６は貯水室８内に設置され貯水を加熱する加熱ヒータであり、貯水室８の外壁に設置され貯水温度を検知する温度センサ１７で検知される温度が所定温度となるよう、ＯＮ／ＯＦＦ状態を適宜切り替える。
【００２０】
１８は貯水室８内に設置され、フロートが上下することで水位を検知する水位センサであり、貯水室８内の水位が低下して所定水位以下になったらＯＦＦ信号を出力し、水位が上昇して所定水位以上になったらＯＮ信号を出力し、更に水位が上昇して貯水室８内が満水となったら満水信号を出力する。
【００２１】
１９は貯水室８に接続され、貯水室８内に水道水を給水する給水管であり、該給水管１９の配管途中には、電磁弁を開閉して貯水室８内への給水を制御する給水弁２０と、給水圧を所定値まで減圧する減圧弁２１とが備えられている。
【００２２】
２２は貯水室８底部に接続され、貯水室８内の水を器具本体１外部に排水する硬質塩化ビニル管で構成された排水管であり、該排水管２２の配管途中には、電磁弁を開閉して貯水室８内の水の排水を制御する排水弁２３が備えれている。
【００２３】
２４は送風口２の壁面に設置され、送風口２から室内へ向けて送風される加湿空気の温度を検知する送風温度センサ、２５は送風モータ１４の近傍に設置され、送風モータ１４で吸い込む室内空気の温度を検知する吸気温度センサ、２６は前記吸気温度センサ２５の近傍に設置され、器具本体１が設置された室内の湿度を検知する湿度センサであり、各センサで検知された温度や湿度に基づいて、ミストモータ１１や送風モータ１４の回転数を変化させ、加熱ヒータ１６のＯＮ／ＯＦＦ状態を切り替える。
【００２４】
操作部６には、運転開始及び停止を指示する運転スイッチ２７と、加熱ヒータ１６のＯＮ／ＯＦＦ状態を切り替えることで貯水室８内の貯水温度を変化させ、送風口２から室内に送風される加湿空気に含有可能な水分量の割合を変化させた３段階の加湿レベルと、湿度センサ２６で検知された湿度が予め設定された湿度となるよう前記加湿レベルを変化させるオートモードとから選択可能な加湿スイッチ２８と、ミストモータ１１と送風モータ１４との回転数の大小を設定可能な三段階の風量レベルと、湿度センサ２６で設定された湿度が予め設定された湿度となるよう前記風量レベルを変化させるオードモードとから選択可能な風量スイッチ２９と、加湿空気を室内に供給するミスト運転の開始時間と停止時間とを設定するタイマー切替スイッチ３０と、前記加湿スイッチ２８及び前記風量スイッチ２９での設定に関わらず、消費電力の低いミスト運転であるエコモードを設定するエコモードスイッチ３１と、現在時刻を設定する時刻設定スイッチ３２と、スイッチを操作することで運転停止以外の動作を禁止するチャイルドロックスイッチ３３とが備えられている。
【００２５】
ここで、前記加湿レベルの制御について詳述すると、加湿レベル１の状態では加熱ヒータ１６をＯＦＦ状態にして貯水の加熱を行わず、加湿レベル２の状態では送風温度センサ２４で検知される送風温度から吸気温度センサ２５で検知される吸気温度を引いた値が第１所定値（ここでは−２℃）となるよう加熱ヒータ１６のＯＮ／ＯＦＦ状態を切り替え、加湿レベル３の状態では送風温度センサ２４で検知される送風温度から吸気温度センサ２５で検知される吸気温度を引いた値が第２所定値（ここでは＋１℃）となるよう加熱ヒータ１６のＯＮ／ＯＦＦ状態を切り替える。
【００２６】
前記加湿レベルの制御により、加湿レベルが上昇すると送風温度が変動し、室内に送風される加湿空気に含まれる水分の割合が増加して、湿度の高い加湿空気を送風することで室内の湿度を増加させることができるため、加湿レベルがオートモードに選択されたら、湿度センサ２６で検知された湿度に応じて加湿レベルを変化させることで、室内の湿度を所定の範囲内にすることができ、更に、送風温度が吸気温度近傍となるよう加熱ヒータ１６のＯＮ／ＯＦＦ状態を切り替えることから、室内の温度を大幅に変えることなく湿度を変化させることができるため、温風や冷風が使用者に当たることでの不快感を与えることがない。
【００２７】
また、前記風量レベルの制御について詳述すると、風量レベル１の状態ではミストモータ１１を４００ｒｐｍ、送風モータ１４を１０００ｒｐｍの回転数で駆動させ、風量レベル２の状態ではミストモータ１１を６００ｒｐｍ、送風モータ１４を１２００ｒｐｍの回転数で駆動させ、風量レベル３の状態ではミストモータ１１を８００ｒｐｍ、送風モータ１４を１４００ｒｐｍの回転数で駆動させる。
【００２８】
前記風量レベルの制御により、風量レベルが上昇すると貯水室８で発生するナノミストと負イオンを含んだ加湿空気量及び送風口２から室内に送風される加湿空気量が増加し、室内の湿度を増加させることができるため、風量レベルがオートモードに選択されたら、湿度センサ２６で検知された湿度に応じて風量レベルを変化させることで、室内の湿度を所定の範囲内にすることができる。
【００２９】
また、操作部６の各スイッチ上部には各スイッチに対応したランプが備えられており、運転スイッチ２７が操作されたら点灯する運転ランプ３４と、ミスト運転が所定時間以上継続したら開始する除菌運転時に点灯する除菌ランプ３５と、加湿スイッチ２８で設定された加湿レベルを１から３の数値とオートモードを示すＡで表示する加湿レベルランプ３６と、風量スイッチ２９で設定された風量レベルを１から３の数値とオートモードを示すＡで表示する風量レベルランプ３７と、タイマー切替スイッチ３０でミスト運転の開始及び停止が設定されたら、それぞれのランプが点灯するタイマーランプ３８と、エコモードスイッチ３１が操作されエコモードが設定されたら点灯するエコモードランプ３９と、時刻設定スイッチ３２で設定された現在時刻を表示する時刻表示パネル４０と、チャイルドロックスイッチ３３が操作されたら点灯するチャイルドロックランプ４１とが備えられている。
【００３０】
４２は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段４３と、送風モータ１４を所定の回転数で駆動させる送風モータ制御手段４４と、加熱ヒータ１６のＯＮ／ＯＦＦ状態を切り替えて貯水室８内の水温を制御する加熱ヒータ制御手段４５と、送風温度センサ２４で検知された温度と吸気温度センサ２５で検知された温度との差を比較する温度比較手段４６とが備えられている。
【００３１】
次に、この実施形態での運転開始から終了までの動作について図５のフローチャートに基づいて説明する。
まず、操作部６の運転スイッチ２７が操作されたか、もしくはタイマー切替スイッチ３０で設定された運転開始時刻になったら、制御部４２は、排水弁２３を開放して貯水室８内の水を排水し、水位センサ１８でＯＦＦ信号が検知されたら、給水弁２０を開放して貯水室８内を水で洗い流すクリーニング動作を行い、所定時間経過したら排水弁２３を閉止することで給水弁２０から流入する水を貯水室８内に供給し、水位センサ１８でＯＮ信号が検知されたら、所定量の水が貯水室８内に供給されたとして給水弁２０を閉止する水入替モードを行う（ステップＳ１０１）。
【００３２】
ステップＳ１０１の水入替モードが終了したら、制御部４２は、温度センサ１７での検知値に基づき、加熱ヒータ１６を駆動させて貯水室８内の貯水温度が所定温度の範囲内（例えば、６３℃から６５℃の間）となるよう加熱ヒータ制御手段４５で制御し、ミストモータ１１及び送風モータ１４が所定の回転数となるようミストモータ制御手段４３及び送風モータ制御手段４４で制御する立ち上げモードを行う（ステップＳ１０２）。
【００３３】
ステップＳ１０２の立ち上げモードが終了したら、制御部４２は、加湿スイッチ２８及び風量スイッチ２９で設定された加湿レベルと風量レベルとに基づいて、ミストモータ１１と送風モータ１４とが所定の回転数で駆動するようミストモータ制御手段４３と送風モータ制御手段４４とで回転数を制御し、加熱ヒータ１６のＯＮ／ＯＦＦ状態を加熱ヒータ制御手段４５で切り替えて制御することで、加湿レベルと風量レベルとに合わせた所定の温度範囲内にするミスト運転を実行する通常運転モードを行う（ステップＳ１０３）。
【００３４】
ステップＳ１０３の通常運転モードの終了条件を満たしたら、制御部４２は、ミストモータ１１を停止させてから排水弁２３を開弁して貯水室８内の水を排水し、所定時間経過したら給水弁２０を開放して貯水室８内を洗浄してから排水弁２３を閉止して貯水室８内に所定量だけ貯水する水入替運転を行い、加熱ヒータ１６をＯＮ状態にして水を加熱することで除菌を行う除菌運転を所定時間行い、所定時間経過後に貯水室８内を冷却して貯水室８内の水を排水する冷却運転を実行するクリーニングモードを行う（ステップＳ１０４）。
【００３５】
ステップＳ１０４のクリーニングモードが終了したら、制御部４２は、送風モータ１４が所定の回転数（例えば、８００ｒｐｍ）で駆動するよう送風モータ制御手段４４で制御し、貯水室８や送風通路１５に送風して乾燥させることで菌の増殖を防止する乾燥モードを行い（ステップＳ１０５）、計時手段４６で送風モータ１４の駆動時間が所定時間（例えば、３時間）をカウントしたか判断し、３時間カウントしたら、送風モータ１４を停止させて運転を終了する。
【００３６】
次に、通常運転モードにおいて風量レベルを固定して加湿レベルのみを変動させた制御の詳細について、図６のフローチャートに基づいて説明する。
まず、制御部４２は、操作部６の加湿スイッチ２８で設定された加湿レベルを確認し（ステップＳ２０１）、加湿レベルがオートモードであるＡに設定されているか判断して（ステップＳ２０２）、加湿レベルがＡに設定されていれば加湿レベルを２の状態に合わせ、送風温度センサ２４で検知される加湿空気の送風温度と吸気温度センサ２５で検知される吸気温度とを温度比較手段４６で比較して、送風温度センサ２４で検知される加湿空気の送風温度から吸気温度センサ２５で検知される吸気温度を引いた値が第１所定値（ここでは−２℃）となるよう、加熱ヒータ制御手段４５で加熱ヒータ１６のＯＮ／ＯＦＦ状態を切り替えて、送風口２から室内へ加湿空気を送風する（ステップＳ２０３）。
【００３７】
ステップＳ２０３で加湿レベルを２に設定し、加熱ヒータ１６のＯＮ／ＯＦＦ状態の切り替えを開始してから所定時間経過したら、制御部４２は、湿度センサ２６で検知される室内の湿度を確認し（ステップＳ２０４）、検知された湿度が４０％ＲＨ未満であるか判断して（ステップＳ２０５）、検知された湿度が４０％ＲＨ未満であれば加湿レベルを２から３に変更して、送風温度センサ２４で検知される加湿空気の送風温度と吸気温度センサ２５で検知される吸気温度とを温度比較手段４６で比較して、送風温度センサ２４で検知される加湿空気の送風温度から吸気温度センサ２５で検知される吸気温度を引いた値が第１所定値よりも大きい第２所定値（ここでは＋１℃）となるよう、加熱ヒータ制御手段４５で加熱ヒータ１６のＯＮ／ＯＦＦ状態を切り替えて、送風口２から室内に送風される加湿空気の送風湿度を増加させる（ステップＳ２０６）。
【００３８】
ステップＳ２０５で検知された湿度が４０％ＲＨ以上だと判断したら、制御部４２は、湿度センサ２６で検知された室内の湿度が６０％ＲＨ以上か判断して（ステップＳ２０７）、検知された湿度が６０％ＲＨ以上であれば加湿レベルを２から１に変更し、加熱ヒータ制御手段４５で加熱ヒータ１６をＯＦＦ状態にして、送風口２から室内に送風される加湿空気の送風湿度を低下させる（ステップＳ２０８）。
【００３９】
ステップＳ２０７で検知された湿度が６０％ＲＨ未満であれば、制御部４２は、加湿レベルを２のままで運転を続行し（ステップＳ２０９）、ステップＳ２０６、ステップＳ２０８及びステップＳ２０９でそれぞれの加湿レベルに設定したら、加湿レベルの設定から所定時間（例えば、１時間）経過したか判断して（ステップＳ２１０）、１時間経過してれば、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ２１１）、終了条件を満たしたと判断したら通常運転モードを終了し、終了条件を満たしていなければステップＳ２０４で再度、湿度センサ２６で検知された湿度を確認して次のステップへ進む。
【００４０】
なお、ステップＳ２０２で加湿レベルがＡに設定されていなければ、制御部４２は、加湿スイッチ２８で設定された加湿レベルに応じて、加熱ヒータ１６のＯＮ／ＯＦＦ状態を加熱ヒータ制御手段４５で切り替える制御を行い、通常運転開始時の加湿レベルが２か３の時に湿度センサ２６で検知された湿度が７０％ＲＨ以上であれば、加湿レベルが２の時は１、加湿レベルが３の時は２というように、それぞれ加湿レベルを１段階だけ低下させて、室内の湿度を低下させ過加湿を防止する。また、前記のように加湿レベルを１段階だけ低下させた後、湿度センサ２６で検知された湿度が５０％ＲＨ以下となったら、制御部４２は、加湿レベルが１の時は２、加湿レベルが２の時は３というように、それぞれ加湿レベルを１段階だけ上昇させて、室内の湿度が５０％ＲＨを超えるようにすることで、使用者が通常運転開始時に設定した加湿レベルでの運転を行うようにしている（ステップＳ２１２）。
【００４１】
そして、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ２１３）、終了条件を満たしたと判断したら通常運転モードを終了し、終了条件を満たしていなければステップＳ２０２で再度、加湿レベルがＡに選択されているか判断して次のステップに進む。
【００４２】
以上のように、通常運転モードにおいて加湿レベルがＡに設定されていれば、検出した湿度に応じて所定値を第１所定値、第２所定値と変化させ、そして送風温度から吸気温度を引いた値が所定値となるように加熱ヒータ１６のＯＮ／ＯＦＦ状態を切り替えて貯水室８内の温度を変化させ、送風口２から送風される加湿空気内に含有可能な水分量の割合を増減させて、器具本体１が設置された室内の湿度を所定の範囲である４０％ＲＨ以上６０％ＲＨ未満に保持することができるので、室内が乾燥せずまた過加湿状態になって室内に飽和した水が貯まることがなく、更に、送風温度が吸気温度の近傍で推移することから、送風口２から室温と極端に差がある加湿空気が送風されることがなく、室内に居る使用者に不快感を与えることがない。
【００４３】
次に、通常運転モードにおいて加湿レベルを固定して風量レベルのみを変動させた制御の詳細について、図７のフローチャートに基づいて説明する。
まず、制御部４２は、操作部６の風量スイッチ２９で設定された風量レベルを確認し（ステップＳ３０１）、風量レベルがオートモードであるＡに設定されているか判断して（ステップＳ３０２）、風量レベルがＡに設定されていれば風量レベルを２の状態に合わせ、ミストモータ制御手段４３でミストモータ１１を所定の回転数である１２００ｒｐｍで駆動させ、送風モータ制御手段４４で送風モータ１４を所定の回転数である６００ｒｐｍで駆動させることで、貯水室８で発生するナノミストと負イオンを含んだ加湿空気を送風口２から室内に送風する。（ステップＳ３０３）。
【００４４】
ステップＳ３０３で風量レベルを２に設定し、所定の回転数でミストモータ１１及び送風モータ１４を駆動させてから所定時間経過したら、制御部４２は、湿度センサ２６で検知される室内の湿度を確認し（ステップＳ３０４）、検知された湿度が４０％ＲＨ未満であるか判断して（ステップＳ３０５）、検知された湿度が４０％ＲＨ未満であれば風量レベルを２から３に変更して、ミストモータ制御手段４３でミストモータ１１の回転数を１４００ｒｐｍまで上昇させ、送風モータ制御手段４４で送風モータ１４の回転数を８００ｒｐｍまで上昇させて、貯水室８で発生するナノミストと負イオンの量と送風口２から室内に送風される加湿空気の量とを増加させ、室内の湿度を高める（ステップＳ３０６）。
【００４５】
ステップＳ３０５で検知された湿度が４０％ＲＨ以上だと判断されたら、制御部４２は、湿度センサ２６で検知された室内の湿度が６０％ＲＨ以上か判断して（ステップＳ３０７）、検知された湿度が６０％以上であれば風量レベルを２から１に変更して、ミストモータ制御手段４３でミストモータ１１の回転数を１０００ｒｐｍまで低下させ、送風モータ制御手段４４で送風モータ１４の回転数を４００ｒｐｍまで低下させて、貯水室８で発生するナノミストと負イオンの量と送風口２から室内に送風される加湿空気の量とを低下させ、室内の湿度を低下させて過加湿を防止する（ステップＳ３０８）。
【００４６】
ステップＳ３０７で検知された湿度が６０％ＲＨ未満であれば、制御部４２は、風量レベルを２のままで運転を続行し（ステップＳ３０９）、ステップＳ３０６、ステップＳ３０８及びステップＳ３０９でそれぞれの風量レベルに設定したら、風量レベルの設定から所定時間（例えば、１時間）経過したか判断して（ステップＳ３１０）、１時間経過していれば、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ３１１）、終了条件を満たしたと判断したら通常運転モードを終了し、終了条件を満たしていなければステップＳ３０４で再度、湿度センサ２６で検知された湿度を確認して次のステップへ進む。
【００４７】
なお、ステップＳ３０２で風量レベルがＡに設定されていなければ、制御部４２は、風量スイッチ２９で設定された風量レベルとなるよう、ミストモータ１１及び送風モータ１４を所定の回転数で制御し、通常運転開始時の風量レベルが２か３の時に湿度センサ２６で検知された湿度が７０％ＲＨ以上であれば、風量レベルが２の時は１、風量レベルが３の時は２というように、それぞれ風量レベルを１段階だけ低下させ、室内の湿度を低下させて過加湿を防止する。また、前記のように風量レベルを１段階だけ低下させた後、湿度センサ２６で検知された湿度が５０％ＲＨ以下まで低下したら、制御部４２は、風量レベルが１の時は２、風量レベルが２の時は３というように、それぞれ風量レベルを１段階だけ上昇させて室内の湿度が５０％ＲＨを超えるようにすることで、使用者が通常運転開始時に設定した風量レベルでの運転を行うようにしている（ステップＳ３１２）。
【００４８】
そして、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ３１３）、終了条件を満たしたと判断したら通常運転モードを終了し、終了条件を満たしていなければステップＳ３０２で再度、風量レベルがＡに選択されているか判断して次のステップに進む。
【００４９】
また、本実施形態では風量レベルを調節すると、ミストモータ１１及び送風モータ１４を所定の回転数で駆動させているが、これに限らず、例えば風量レベルを変化させることでミストモータ１１の回転数のみを変化させる制御も可能であり、制御部４２は、ミスト運転時に送風モータ１４を４００ｒｐｍで駆動させ、ミストモータ１１の回転数を１２００ｒｐｍや１４００ｒｐｍで駆動させることで、貯水室８内で発生するナノミストと負イオンを含んだ加湿空気量を簡易に増減させることができることから、室内の乾燥や過加湿状態を防止することができる。
【００５０】
以上のように、通常運転モードで風量レベルがＡに設定されていれば、ミストモータ１１と送風モータ１４の回転数を変化させ、ナノミストと負イオンの発生量と加湿空気の送風量を増減させることで、器具本体１が設置された室内の湿度を所定の範囲である４０％ＲＨ以上６０％ＲＨ未満に保持することができるので、室内が乾燥せずまた過加湿状態になって室内に飽和した水が貯まることがないため、使用者が室内で快適に過ごすことが可能となる。
【００５１】
次に、通常運転モードにおいて加湿レベル及び風量レベルのそれぞれを変動させる制御の詳細について、図８のフローチャートに基づいて説明する。
まず、制御部４２は、操作部６の加湿スイッチ２８で設定された加湿レベルを確認し（ステップＳ４０１）、加湿レベル及び風量レベルがオートモードであるＡに設定されているか判断して（ステップＳ４０２）、加湿レベル及び風量レベルがＡに設定されていれば加湿レベル及び風量レベルを２の状態に合わせ、送風温度センサ２４で検知される加湿空気の送風温度と吸気温度センサ２５で検知される吸気温度とを温度比較手段４６で比較して、送風温度センサ２４で検知される加湿空気の送風温度から吸気温度センサ２５で検知される吸気温度を引いた値が第１所定値（ここでは−２℃）となるよう、加熱ヒータ制御手段４５で加熱ヒータ１６のＯＮ／ＯＦＦ状態を切り替えて、ミストモータ制御手段４３でミストモータ１１を所定の回転数である１２００ｒｐｍで駆動させ、送風モータ制御手段４４で送風モータ１４を所定の回転数である６００ｒｐｍで駆動させることで、貯水室８で発生するナノミストと負イオンを含んだ加湿空気を送風口２から室内に送風する（ステップＳ４０３）
【００５２】
ステップＳ４０３で加湿レベル及び風量レベルを２に設定し、加熱ヒータ１６のＯＮ／ＯＦＦ状態を切り替えて、ミストモータ１１と送風モータ１４とを所定の回転数にしたら、制御部４２は、湿度センサ２６で検知される室内の湿度を確認し（ステップＳ４０４）、検知された湿度が４０％ＲＨ未満であるか判断して（ステップＳ４０５）、検知された湿度が４０％ＲＨ未満であれば加湿レベル、及び風量レベルを２から３に変更して、送風温度センサ２４で検知される加湿空気の送風温度と吸気温度センサ２５で検知される吸気温度とを温度比較手段４６で比較して、送風温度センサ２４で検知される加湿空気の送風温度から吸気温度センサ２５で検知される吸気温度を引いた値が第１所定値よりも大きい第２所定値（ここでは＋１℃）となるよう、加熱ヒータ制御手段４５で加熱ヒータ１６のＯＮ／ＯＦＦ状態を切り替えて、ミストモータ制御手段４３でミストモータ１１の回転数を１４００ｒｐｍまで上昇させ、送風モータ制御手段４４で送風モータ１４の回転数を８００ｒｐｍまで上昇させて、貯水室８で発生して送風口２から室内に送風される加湿空気の湿度と量を増加させ、室内の湿度を高めて乾燥を防止する（ステップＳ４０６）。
【００５３】
ステップＳ４０５で検知された湿度が４０％ＲＨ以上だと判断されたら、制御部４２は、湿度センサ２６で検知された室内の湿度が６０％ＲＨ以上か判断して（ステップＳ４０７）、検知された湿度が６０％ＲＨ以上であれば加湿レベル、及び風量レベルを２から１に変更し、加熱ヒータ制御手段４５で加熱ヒータ１６をＯＦＦ状態にして、ミストモータ制御手段４３でミストモータ１１の回転数を１０００ｒｐｍまで低下させ、送風モータ制御手段４４で送風モータ１４の回転数を４００ｒｐｍまで低下させて、貯水室８で発生して送風口２から室内に送風される加湿空気の湿度と量を低下させ、室内の湿度を低下させて過加湿を防止する（ステップＳ４０８）。
【００５４】
ステップＳ４０７で検知された湿度が６０％ＲＨ未満であれば、制御部４２は、加湿レベル、及び風量レベルを２のままで運転を続行し（ステップＳ４０９）、ステップＳ４０６、ステップＳ４０８及びステップＳ４０９でそれぞれの加湿レベルに設定したら、加湿レベル及び風量レベルの設定から所定時間（例えば、１時間）経過したか判断して（ステップＳ４１０）、１時間経過していれば、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ４１１）、終了条件を満たしたと判断したら通常運転モードを終了し、終了条件を満たしていなければステップＳ４０４で再度、湿度センサ２６で検知された湿度を確認して次のステップへ進む。
【００５５】
なお、ステップＳ４０２で加湿レベルがＡに設定されていなければ、制御部４２は、加湿スイッチ２８で設定された加湿レベルと、風量スイッチ２９で設定で設定された風量レベルとに応じて通常運転を行い、通常運転開始時に加湿レベル及び風量レベルが２か３で湿度センサ２６で検知された湿度が７０％ＲＨ以上となったら、加湿レベルが２か３の時は１か２、風量レベルが２か３の時は１か２というように、加湿レベルと風量レベルとをそれぞれ１段階だけ低下させて、室内の湿度を低下させて過加湿を防止する。また、前記のように加湿レベルと風量レベルとをそれぞれ１段階だけ低下させた後、湿度センサ２６で検知された湿度が５０％ＲＨ以下となったら、制御部４２は、加湿レベルが１か２の時は２か３、風量レベルが１か２の時は２か３というように、加湿レベルと風量レベルとをそれぞれ１段階だけ上昇させて、室内の湿度が５０％ＲＨを超えるようにすることで、使用者が通常運転開始時に設定した加湿レベル及び風量レベルでの運転を行うようにしている（ステップＳ４１２）。
【００５６】
そして、通常運転モードを開始してから所定時間（例えば、１９時間）をカウントしたか、もしくは通常運転モードの途中で運転スイッチ２７がＯＦＦ操作されたか、あるいはタイマー切替スイッチ３０で設定されたミスト運転の停止時刻となったことで、通常運転モードの終了条件を満たしたか判断して（ステップＳ４１３）、終了条件を満たしたと判断したら通常運転モードを終了し、終了条件を満たしていなければステップＳ４０２で再度、加湿レベル及び風量レベルがＡに選択されているか判断して次のステップに進む。
【００５７】
また、本実施形態ではステップＳ４０２で加湿レベル及び風呂レベルがＡに設定されていれば次のステップに進んでいるが、加湿レベルもしくは風量レベルのいずれか一方がＡに設定されていることで次のステップに進んでもよく、制御部４２は、加湿レベルもしくは風量レベルのいずれか一方がＡに設定されていると判断したら、ステップＳ４０３以降の制御を実行する内容であってもよい。
【００５８】
以上のように、通常運転モードで加湿レベルと風量レベルとが共にＡに設定されていれば、検出した湿度に応じて所定値を第１所定値、第２所定値と変化させ、そして送風温度から吸気温度を引いた値が所定値となるように加熱ヒータ１６のＯＮ／ＯＦＦ状態を切り替えて貯水室８内の温度を変化させ、ミストモータ１１と送風モータ１４とを所定の回転数で駆動させて、送風するナノミストと負イオンを含んだ加湿空気の量を増減させることで、器具本体１が設置された室内の湿度を所定の範囲である４０％ＲＨ以上６０％ＲＨ未満に保持することができるので、早期に室内の乾燥や過加湿状態により室内に飽和した水が貯まる状態を防止でき、更に、送風温度が吸気温度の近傍で推移することから、送風口２から室温と極端に差がある加湿空気が送風されることがなく、室内に居る使用者に不快感を与えることがなく、使用者が室内で快適に過ごすことができる。
【００５９】
なお、本発明の実施形態は一例であり、例えば通常運転モードで加湿レベル又は／及び風量レベルについてオートモードが選択された場合に用いた所定の範囲の湿度値について、湿度センサ２６で検知される値が４５％ＲＨ以上５５％ＲＨ未満となるよう、加湿レベル又は／及び風量レベルを変化させる制御であってもよく、使用者の設定に応じて所定の範囲の湿度値を自在に変更可能な制御であってもよい。
【００６０】
また、本発明の実施形態で用いた各加湿レベルにおける送風温度から吸気温度を引いた値の所定値は、実施形態で説明した例に限られず、±５℃の範囲内とすれば、送風温度と室温が大きく違わないために、送風による熱風感や冷風感を使用者に感じさせずに室内の温度を大きく変えることなく加湿を行うことができ、更に所定値を±２℃の範囲内の値とすることがより好ましいものである。
【００６１】
また、本発明の実施形態で説明した時に用いた送風温度から吸気温度を引いた値である所定値や、湿度センサ２６で検知する室内の湿度値による各種制御で用いた数値、また、ミストモータ１１、送風モータ１４の回転数や器具本体１の構成は一例であり、本発明の趣旨を逸脱しない範囲で変更することが可能である。
【符号の説明】
【００６２】
１    器具本体
２    送風口
８    貯水室
１０    回転体
１１    ミストモータ
１３    多孔部
１４    送風モータ
１６    加熱ヒータ
１７    温度センサ
２４    送風温度センサ
２５    吸気温度センサ
２６    湿度センサ
４２    制御部
【図１】
2014202371.tif 000003
【図２】
2014202371.tif 000004
【図３】
2014202371.tif 000005
【図４】
2014202371.tif 000006
【図５】
2014202371.tif 000007
【図６】
2014202371.tif 000008
【図７】
2014202371.tif 000009
【図８】
2014202371.tif 000010
【図９】
2014202371.tif 000011